(57)【要約】【課題】小型化及び低コスト化を実現することが可能な撮像モジュールを提供する。【解決手段】被写体を撮像して撮像信号を出力する撮像部１と、撮像部１からの撮像信号をアナログ信号処理後、デジタル変換するＡＦＥ２と、ＡＦＥ２に接続されたデータバスＤＢ及びクロックバスＣＢと、撮像信号をデータバスＤＢを介して受信する受信部３３と、受信部３３で受信した撮像信号に基づいて画像データを生成する画像データ生成部３１と、画像データ生成部３１で生成された画像データをデータバスＤＢを介して後段デバイス部２００に転送する転送部３２とを備え、受信部３３は、クロックバスＣＢを流れる同期クロックの立ち上がりでＡＦＥ２からの撮像信号を受信し、転送部３２は、同期クロックの立ち下がりで画像データを後段デバイス部２００に転送する。【選択図】図１
2006352767.tif 000002
【特許請求の範囲】
【請求項１】
被写体を撮像して撮像信号を出力する撮像手段と、
前記撮像手段に接続されたバスと、
前記撮像信号を前記バスを介して受信する受信手段と、
前記受信手段で受信した撮像信号に基づいて画像データを生成する画像データ生成手段と、
前記画像データ生成手段で生成した画像データを前記バスを介して転送する転送手段とを備え、
前記受信手段は、同期クロックの立ち上がり又は立ち下がりで前記撮像信号を受信し、
前記転送手段は、前記同期クロックの立ち下がり又は立ち上がりで前記画像データを転送する撮像モジュール。
【請求項２】
請求項１記載の撮像モジュールであって、
前記撮像手段は、前記転送手段によって前記画像データの転送が行われている間、前記撮像信号の出力を停止する撮像モジュール。
【発明の詳細な説明】
【技術分野】
【０００１】
本発明は、携帯電話機等の電子機器に搭載される撮像モジュールに関する。
【背景技術】
【０００２】
現在普及しているカメラ付の電子機器には、例えば、被写体を撮像して画像データを生成する撮像モジュールと、撮像モジュールから転送される該画像データを含むデータを受信し、表示用画像データを生成してスルー画像を表示部に表示させたり、画像データを圧縮して記録媒体に記録したりといった各種処理を行うデバイスとが含まれている。従来は、撮像モジュールに含まれるＤＳＰが、例えば、イメージセンサからの撮像信号をバスを介して受信して画像データを生成し、生成した画像データを前記バスとは異なるバスを介してデバイスに転送するといった処理を行っているため、ＤＳＰのピン数（ＩＯパッド数）を多くする必要があり、撮像モジュールの小型化や低コスト化を阻害する要因となっていた。
【０００３】
上記撮像モジュールに該当するビデオカメラと、上記デバイスに該当する画像入力装置とを備えたシステムが特許文献１に開示されている。
【０００４】
【特許文献１】特開平７−２７４０５７号公報
【発明の開示】
【発明が解決しようとする課題】
【０００５】
本発明は、上記事情に鑑みてなされたものであり、小型化及び低コスト化を実現することが可能な撮像モジュールを提供することを目的とする。
【課題を解決するための手段】
【０００６】
本発明の撮像モジュールは、被写体を撮像して撮像信号を出力する撮像手段と、前記撮像手段に接続されたバスと、前記撮像信号を前記バスを介して受信する受信手段と、前記受信手段で受信した撮像信号に基づいて画像データを生成する画像データ生成手段と、前記画像データ生成手段で生成した画像データを前記バスを介して転送する転送手段とを備え、前記受信手段は、同期クロックの立ち上がり又は立ち下がりで前記撮像信号を受信し、前記転送手段は、前記同期クロックの立ち下がり又は立ち上がりで前記画像データを転送する。
【０００７】
この構成により、撮像信号が流れるバスと画像データが流れるバスを共通化することができるため、小型化及び低コスト化が可能となる。
【０００８】
本発明の撮像モジュールは、前記撮像手段が、前記転送手段によって前記画像データの転送が行われている間、前記撮像信号の出力を停止する。
【発明の効果】
【０００９】
本発明によれば、小型化及び低コスト化を実現することが可能な撮像モジュールを提供することができる。
【発明を実施するための最良の形態】
【００１０】
以下、本発明の実施形態について図面を参照して説明する。
【００１１】
図１は、本発明の実施形態を説明するためのカメラ付き携帯電話機の概略構成を示す図である。
図１に示すカメラ付き携帯電話機は、撮像モジュール１００と、撮像モジュール１００から転送されてきたデータに基づいて各種処理を行う後段デバイス部２００とを備える。
【００１２】
撮像モジュール１００は、撮像部１と、アナログフロントエンド（ＡＦＥ）２と、デジタル信号処理部３と、内部メモリ４とを備える。ＡＦＥ２とデジタル信号処理部３は、データバスＤＢとクロックバスＣＢに接続され、データバスＤＢとクロックバスＣＢは後段デバイス部２００にも接続されている。
【００１３】
撮像部１は、撮影レンズ等の光学系及びＣＣＤイメージセンサ等の撮像素子によって被写体を撮像するものであり、アナログの撮像信号を出力する。ＡＦＥ２は、撮像部１で得られた撮像信号に所定のアナログ信号処理を施し、アナログ信号処理後のアナログ信号をデジタル信号に変換する。撮像部１とＡＦＥ２は、特許請求の範囲の撮像手段を構成する。
【００１４】
デジタル信号処理部３は、画像データ生成部３１と、転送部３２と、受信部３３とを備える。デジタル信号処理部３は、例えばＤＳＰで構成される。
【００１５】
受信部３３は、ＡＦＥ２からの撮像信号をデータバスＤＢを介して受信する。受信部３３は、クロックバスＣＢを流れる同期クロックの立ち上がりのタイミングで撮像信号をラッチすることで撮像信号を受信する。
【００１６】
画像データ生成部３１は、受信部３３で受信した撮像信号に対して、予め設定された動作モードに応じた各種デジタル信号処理（黒レベル補正処理（ＯＢ処理）、リニアマトリクス補正処理、ホワイトバランス調整処理、ガンマ補正処理、同時化処理、及びＹ／Ｃ変換処理等）を行い、画像を生成することのできる形式のデータである画像データ（輝度・色差データ）を生成する。画像データ生成部３１で生成された画像データは内部メモリ４に一時的に記録される。
【００１７】
転送部３２は、内部メモリ４に記録された画像データをデータバスＤＢを介して後段デバイス部２００に転送する。転送部３２は、クロックバスＣＢを流れる同期クロックの立ち下がりのタイミングで画像データを転送する。
【００１８】
後段デバイス部２００は、カメラ付き携帯電話機全体を統括制御する制御部５と、ＬＣＤ等の表示装置６と、表示装置６の表示制御を行う表示制御部７と、メモリカード等の記録媒体８と、記録媒体８への記録制御を行う記録制御部９とを備える。表示装置６は、カメラ付き携帯電話機が撮影モードに設定されたときに、撮像部１で撮像された画像をスルー画像として表示したり、各種情報を表示したりするための表示デバイスである。
【００１９】
制御部５、表示制御部７、及び記録制御部９は、それぞれデータバスＤＢとクロックバスＣＢに接続されている。
【００２０】
以下、図１に示すカメラ付き携帯電話機の動作について説明する。
カメラ付き携帯電話機が、撮影を行うことが可能な撮影モードに設定されると、撮像部１による撮像が開始される。ＡＦＥ２は、同期クロックを生成して、それをクロックバスＣＢから出力すると共に、その同期クロックの立ち上がりでラッチできるタイミングで撮像信号を出力する。受信部３３は、同期クロックの立ち上がりで、ＡＦＥ２から出力された撮像信号を受信する。そして、画像データ生成部３１によって画像データが生成され、生成された画像データが内部メモリ４に記録される。内部メモリ４には、例えば、撮影時間の古い順に２つの画像データが常に記録されるものとする。一方、転送部３２は、内部メモリ４に記録されている撮影時間が最も古い画像データを読み出し、同期クロックの立ち下がりで該画像データを後段デバイス部２００に転送する。尚、転送部３２が画像データを転送している期間、ＡＦＥ２は撮像信号の出力を停止する。
【００２１】
後段デバイス部２００では、例えば、表示制御部７や記録制御部８が、同期クロックの立ち下がりで画像データをラッチすることで、表示装置６にスルー画像を表示させたり、記録媒体９に画像データを記録したりする。
【００２２】
以上のように、本実施形態のカメラ付き携帯電話機によれば、同期クロックの立ち上がりと立ち下がりでデータバスＤＢの通信方向を変化させることで、ＡＦＥ２とデジタル信号処理部３と後段デバイス部２００とを共通のバスで接続することが可能となる。このため、デジタル信号処理部３のピン数を削減することができ、撮像モジュール１００のコストダウンを期待することができる。又、異なるバスのパターンを共通化することができるため、小型化も期待することができる。
【００２３】
尚、上述した例では、受信部３３が同期クロックの立ち上がりで撮像信号を受信し、転送部３２が同期クロックの立ち下がりで画像データを転送するものとしたが、受信部３３が同期クロックの立ち下がりで撮像信号を受信し、転送部３２が同期クロックの立ち上がりで画像データを転送するようにしても良い。
【００２４】
又、上述した例では、ＡＦＥ２が同期クロックを出力してバスの調停を行っているが、デジタル信号処理部３や後段デバイス部２００が調停を行っても勿論構わない。
【図面の簡単な説明】
【００２５】
【図１】本発明の実施形態を説明するためのカメラ付き携帯電話機の概略構成を示す図
【符号の説明】
【００２６】
１  撮像部
２  ＡＦＥ
３  デジタル信号処理部
３１  画像データ生成部
３２  転送部
３３  受信部
４  内部メモリ
５  制御部
６  表示装置
７  表示制御部
８  記録媒体
９  記録制御部
１００  撮像モジュール
２００  後段デバイス部
【図１】
2006352767.tif 000003